(57)【要約】      （修正有）【課題】空気を浄化することのできる空気清浄装置において、低域空間に沈降しやすい花粉やハウスダストなどの粒子径の大きい粉塵を捕集する効果を高める。【解決手段】前面に吸気口２と上面に排気口３とを有する本体ケース１内に、吸気を浄化するフィルターと送風部とを備え、上面に排気口３からの風向角度を調整する上下風向調整手段７と、この側方両端部に側方壁８を備えた構成とし、側方壁８を上下風向調整手段７の上下方向への移動に追従状態とすることで、風量増加無しにより遠くの空間まで気流を届かせることができ、粒子径の大きな粉塵に対する捕集効果を高めたものである。【選択図】図１
2017083109.tif 000002
【特許請求の範囲】
【請求項１】
前面に吸気口と上面に排気口とを有する本体ケースと、
前記吸気口と前記排気口とを連通する送風路と、
前記送風路内にて吸気を浄化するフィルターと、
前記吸気口から前記本体ケース内に取り入れた吸気を前記排気口に導く送風部と、
前記前面側を上方にせり上げて前記排気口からの前記前面側への風向角度を調整する上下風向調整手段と、
前記上下風向調整手段の側方両端部に設けられ前記上下風向調整手段の上下方向への移動に追従する追従状態と追従しない非追従状態とを取り得る側方壁と、
前記上下風向調整手段の上下方向への動作と前記側方壁の上下方向への追従とを独立して制御する制御手段と、
を備えた空気清浄装置。
【請求項２】
前記制御手段は、
所定の動作モード実行時において、
前記上下風向調整手段における前記前面側端部を上方にせり上げるとともに前記側方壁を前記上下風向調整手段の上方への移動に追従させて前記上下風向調整手段の両端部に壁面を形成して前記上下風向調整手段の両端部からの側方への送風を抑制し、
前記所定の動作モード実行時ではない場合において、
前記上下風向調整手段における前記前面側端部を上方にせり上げるが前記側方壁は前記上下風向調整手段の上方への移動に追従させずに前記上下風向調整手段の両端部からの側方への送風を許容する請求項１記載の空気清浄装置。
【請求項３】
前記吸気口の前方外側に位置して前記吸気口を上方吸気口と二つの側方吸気口と下方吸気口とに分割する略矩形のフロントパネルと、
前記フロントパネルにおける上端の前後方向への摺動により上方吸気口の開口面積を可変する上方駆動部と、
前記フロントパネルにおける下端の前後方向への摺動により下方吸気口の開口面積を可変すると共に前記上方駆動部と独立して動作可能な下方駆動部とを備え、
前記制御手段は、
前記上方駆動部を摺動させて前記上方吸気口を閉状態とし、
前記下方駆動部を摺動させて前記下方吸気口を開状態とする請求項１または２に記載の空気清浄装置。
【請求項４】
前記フロントパネルは、前記吸気口側の面における両側部に上方から下方にかけて側方吸気口からの吸気を抑制する抑制板を備えた請求項１から３のいずれかに記載の空気清浄装置。
【発明の詳細な説明】
【技術分野】
【０００１】
本発明は、空気を浄化することのできる空気清浄装置に関するものである。
【背景技術】
【０００２】
従来のこの種の空気清浄装置の構成は以下のようになっていた。
【０００３】
すなわち、吸気口と排気口を有する本体ケースと、この本体ケース内で、前記吸気口から前記排気口に送風される送風路に空気清浄手段を設けた構成となっていた。（例えば、特許文献１参照）。
【０００４】
以下、従来の空気清浄装置について説明する。空気清浄装置は、吸気口と排気口を有する本体ケースと、この本体ケース内に設けられた送風手段及び空気清浄手段と、前記排気口に設けた風向調整手段とを備え、前記排気口は前記本体ケースの天面に設けられ上方に開口すると共に、前記風向調整手段により水平面から仰角方向へ前記本体ケースにおける前面側へ送風するように風向を変化させる構造であった。
【先行技術文献】
【特許文献】
【０００５】
【特許文献１】特許第４８４０１８１号公報
【発明の概要】
【発明が解決しようとする課題】
【０００６】
このような従来の空気清浄装置において、室内に分布する粉塵のうち、低域空間に沈降しやすい花粉やハウスダストなどの粒子径の大きい粉塵をより効率的に捕集するためには、床上での吸気口へ流れ込む吸い込み気流の風速をさらに増加させることが必要であり、そのためには、排気口での風速を増やすことが必要であった。
【０００７】
しかし、従来の構成では、排気口から吹出す気流が、前記風向調整手段により水平面から仰角方向へ方向を変えられた後、前方だけでなく側方へも流れてしまう。このため、空気清浄装置の設置位置に近い空間に対しては十分な効果があったが、設置位置から遠い空間に浮遊する粒子径の大きな粉塵をひき寄せるためには、更なる風量増加が必要となり、騒音や消費電力の面で課題があった。
【０００８】
そこで、本発明は、上記従来の課題を解決するものであり、低域空間に沈降しやすい花粉やハウスダストなどの粒子径の大きい粉塵を捕集する際に、より遠くの空間に浮遊する粉塵に対しても、風量増加無しに十分な捕集効果が得られる空気清浄装置を提供することを目的とする。
【課題を解決するための手段】
【０００９】
そして、この目的を達成するために、本発明に係る空気清浄装置は、前面に吸気口と上面に排気口とを有する本体ケースと、前記吸気口と前記排気口とを連通する送風路と、前記送風路内にて吸気を浄化するフィルターと、前記吸気口から前記本体ケース内に取り入れた吸気を前記排気口に導く送風部と、前記前面側を上方にせり上げて前記排気口からの前記前面側への風向角度を調整する上下風向調整手段と、前記上下風向調整手段の側方両端部に設けられ前記上下風向調整手段の上下方向への移動に追従する追従状態と追従しない非追従状態とを取り得る側方壁と、前記上下風向調整手段の上下方向への動作と前記側方壁の上下方向への追従とを独立して制御する制御手段とを備えるものであり、これにより所期の目的を達成するものである。
【発明の効果】
【００１０】
本発明によれば、排気口の側方方向への風量を抑制し、前方方向への風量を増加させることができるため、風量増加無しにより遠くの空間まで気流を届かせることができ、粒子径の大きな粉塵に対する捕集効果を高めることができる。
【図面の簡単な説明】
【００１１】
【図１】本発明の実施の形態１に係る空気清浄装置の外観斜視図
【図２】本発明の実施の形態１に係る空気清浄装置の側断面図
【図３】本発明に係る空気清浄装置の右側面の側方壁周辺図
【図４】本発明に係る空気清浄装置の左側面の側方壁周辺図
【図５】本発明の実施の形態２に係るフロントパネルの外観斜視図
【発明を実施するための形態】
【００１２】
本発明に係る空気清浄装置は、前面に吸気口と上面に排気口とを有する本体ケースと、前記吸気口と前記排気口とを連通する送風路と、前記送風路内にて吸気を浄化するフィルターと、
前記吸気口から前記本体ケース内に取り入れた吸気を前記排気口に導く送風部と、前記前面側を上方にせり上げて前記排気口からの前記前面側への風向角度を調整する上下風向調整手段と、前記上下風向調整手段の側方両端部に設けられ前記上下風向調整手段の上下方向への移動に追従する追従状態と追従しない非追従状態とを取り得る側方壁と、前記上下風向調整手段の上下方向への動作と前記側方壁の上下方向への追従とを独立して制御する制御手段と、を備えた構成を有する。
【００１３】
これにより、低域空間に沈降しやすい花粉やハウスダストなどの粒子径の大きい粉塵を捕集する場合において、側方壁を前記上下風向調整手段の上下方向への移動に追従する追従状態とすることで、側方方向への風量を抑制し、前方方向への風量を増加させることができる。このため、風量増加無しにより遠くの空間まで気流を届かせることができ、粒子径の大きな粉塵に対する捕集効果を高めることができる。
【００１４】
また、前記制御手段は、所定の動作モード実行時において、前記上下風向調整手段における前記前面側端部を上方にせり上げるとともに前記側方壁を前記上下風向調整手段の上方への移動に追従させて前記上下風向調整手段の両端部に壁面を形成して前記上下風向調整手段の両端部からの側方への送風を抑制し、前記所定の動作モード実行時ではない場合において、前記上下風向調整手段における前記前面側端部を上方にせり上げるが前記側方壁は前記上下風向調整手段の上方への移動に追従させずに前記上下風向調整手段の両端部からの側方への送風を許容する、という構成を有する。
【００１５】
これにより、より遠くに浮遊する粒子径の大きな粉塵をひき寄せたい場合においては前記所定の動作モードを選択し、近くの広範囲の領域に浮遊する粒子径の大きな粉塵をひき寄せたい場合においては前記所定の動作モードを選択しない、という選択を自在にすることができるのでユーザーが風量増加無しに、設置環境や動作状況に応じて、最も効果的なモードを選択できるという効果を奏する。
【００１６】
また、前記吸気口の前方外側に位置して前記吸気口を上方吸気口と二つの側方吸気口と下方吸気口とに分割する略矩形のフロントパネルと、前記フロントパネルにおける上端の前後方向への摺動により上方吸気口の開口面積を可変する上方駆動部と、前記フロントパネルにおける下端の前後方向への摺動により下方吸気口の開口面積を可変すると共に前記上方駆動部と独立して動作可能な下方駆動部とを備え、前記制御手段は、前記上方駆動部を摺動させて前記上方吸気口を閉状態とし、前記下方駆動部を摺動させて前記下方吸気口を開状態とするという構成を有する。
【００１７】
これにより、前記フロントパネルにより分割された吸気口のうち、上方吸気口からの吸気がさえぎられるため、相対的に下方吸気口からの吸気風量が増加する。これにより、床上での吸気口へ流れ込む吸い込み気流の風速をさらに増加させることとなるので、粒子径の大きい粉塵を捕集する効果をさらに高めることができる。
【００１８】
また、前記フロントパネルは、前記吸気口側の面における両側部に上方から下方にかけて側方吸気口からの吸気を抑制する抑制板を備えた構成を有する。
【００１９】
これにより、相対的に下方吸気口からの吸気風量が増加するため、床上での吸気口へ流れ込む吸い込み気流の風速をさらに増加させることとなるので、粒子径の大きい粉塵を捕集する効果をさらに高めることができる。
【００２０】
以下、本発明の実施の形態について図面を参照しながら説明する。なお、以下の実施の形態は、本発明を具体化した一例であって、本発明の技術的範囲を限定するものではない。また、全図面を通して、同一の部位については同一の符号を付して二度目以降の説明を省略している。
【００２１】
（実施の形態１）
図１〜図４を用いて、本発明の実施の形態に係る空気清浄装置について説明する。
【００２２】
なお、図１は空気清浄装置を示す外観斜視図、図２は空気清浄装置の側断面図、図３は空気清浄装置の右側面の側方壁周辺図、図４は空気清浄装置の左側面の側方壁周辺図である。
【００２３】
図１及び図２に示すように、本発明に係る空気清浄装置は、本体ケース１と吸気口２と排気口３と送風路４とフィルター５と送風部６と上下風向調整手段７と側方壁８と制御手段９と環境情報取得手段２７を備えている。
【００２４】
本体ケース１は、略箱型に形成されており、空気清浄装置の内部と外部とを区切る外郭として機能し、主にプラスチック樹脂によって構成されている。
【００２５】
吸気口２は、本体ケース１内に空気を取り入れる開口部であり、本体ケース１の前面に設けられる。吸気口２の前方外側には、略矩形のフロントパネル２８を備える。
【００２６】
フロントパネル２８は、着脱可能に本体ケース１の前面に設けられており、取り付け状態では吸気口２を上方吸気口２９と左右二つの側方吸気口３０と下方吸気口３１とに分割する。つまりフロントパネル２８と本体ケース１との間には空気を吸い込むための空間が設けられており、フロントパネル２８の外周と本体ケースの前面端部とで吸気口２を構成する。なお、フロントパネル２８は開閉が可能であるが、その詳細については後述する。
【００２７】
排気口３は、本体ケース１内に取り入れた空気を吹き出す開口として、本体ケース１の上部に設けられる。
【００２８】
送風路４は、吸気口２から本体ケース１内に取り入れられた空気が通る風路であり、吸気口２と排気口３とを連通させている。
【００２９】
フィルター５は、例えば一定の厚みを有する繊維やスポンジ状の素材からなり、内部に無数の孔を備えることで当該内部を空気が通過することができる。そして送風路４内に設けられ、吸気口２から吸い込んだ空気を通過させ当該空気をろ過し、浄化する。
【００３０】
送風部６は、吸気口２から排気口３に空気を導くための気流を発生させるもので、例えばシロッコファンと当該シロッコファンを回転駆動するモータとで構成される。
【００３１】
上下風向調整手段７は、横長四角形状の平板である第１の風向板１０と、この第１の風向板１０を排気口３の側端部で回動自在に軸支する第１の軸支部１１とを備えている。
【００３２】
第１の軸支部１１は、第１の風向板１０の短辺側から外方へ伸びた第１の軸部１２と、排気口３の側端部に設けられた水平方向の孔で、この第１の軸部１２が挿入される第１の軸受部１３とを備えている。また、第１の軸部１２を介して第１の風向板１０を、第１の軸部を中心として回動させる第１の回動手段１４を備えている。
【００３３】
第１の回動手段１４は、例えばステッピングモーターと歯車から構成される。
【００３４】
第１の風向板１０は、第１の回動手段１４によって、本体ケース１における前面側が、本体ケース１の排気口３を塞ぐ位置から仰角方向へ第１の角度まで回動可能である。
【００３５】
側方壁８は、上下風向調整手段７の側方両端部（長手方向両端部）の位置に、本体ケース１の内部に収納されて設けられている。側方壁８は、第１の側方風向調整手段１５と第２の側方風向調整手段１６から構成されている。
【００３６】
第１の側方風向調整手段１５は、扇形状の平板である第２の風向板１７と、この第２の風向板１７を回動自在に軸支する第２の軸支部１８とを備えている。この第２の軸支部１８は、第２の風向板１７の扇形状の頂点部から外方へ伸びた第２の軸部１９と、排気口３の側端部に設けられた水平方向の孔でこの第２の軸部１９が挿入される第２の軸受部２０とからなる。また、第２の軸部１９を介して第２の風向板１７を回動させる第２の回動手段２１を備えている。
【００３７】
第２の回動手段２１は、例えばステッピングモーターと歯車から構成される。
【００３８】
第２の側方風向調整手段１６は、第１の側方風向調整手段１５と同様に、扇形状の平板である第３の風向板２２と、この第３の風向板２２を回動自在に軸支する第３の軸支部２３とを備える。この第３の軸支部２３は、第３の風向板２２の扇形状の頂点部から外方へ伸びた第３の軸部２４と、排気口３の側端部に設けられた水平方向の孔で、この第３の軸部２４が挿入される第３の軸受部２５とからなる。また、第３の軸部２４を介して第３の風向板２２を回動させる第３の回動手段２６を備えている。
【００３９】
第３の回動手段２６は、例えばステッピングモーターと歯車から構成される。
【００４０】
第３の風向板２２は、第２の風向板１７と同様に動作するため説明を省略するが、第２の風向板１７とは独立して回動可能となっている。
【００４１】
第２の風向板１７は、閉状態において、本体ケース１の天面に設けられた溝に、扇形状の半径を構成する側辺を天面と平行に収納されている。第２の風向板１７は、開状態とする際に、第２の回動手段２１によって、扇形状の頂点部を回転中心として側辺を本体ケース１の天面から徐々に露出させ、すなわちせり上げる（図３の状態）。第２の風向板１７は、排気口３から仰角方向へ第２の角度まで回動することで、開状態への移行が完了する。なお、第３の風向板２２の動作も第３の風向板２２の動作と同様である。
【００４２】
環境情報取得手段２７は、例えばホコリセンサー、ガスセンサー、人感センサーなどが利用可能である。環境情報取得手段２７が検知した情報は、制御手段９に送信される。
【００４３】
制御手段９は、図２に示すように、本体ケース１の上部に備えられており、例えばマイクロコンピュータが用いられている。
【００４４】
マイクロコンピュータは、内部にＣＰＵ（Ｃｅｎｔｒａｌ Ｐｒｏｃｅｓｓｉｎｇ Ｕｎｉｔ）、ＲＡＭ（Ｒａｎｄｏｍ Ａｃｃｅｓｓ Ｍｅｍｏｒｙ）、ＲＯＭ（Ｒｅａｄ Ｏｎｌｙ Ｍｅｍｏｒｙ）、及び空気清浄装置における送風部６、第１の回動手段１４、第２の回動手段２１、第３の回動手段２６等の各駆動部に対応するドライバが内部バスを介して接続されている。ＣＰＵは、例えばＲＡＭを作業領域として利用し、ＲＯＭに記憶されているプログラムを実行し、当該実行結果に基づいてドライバとデータや命令を授受することにより各駆動部の動作を制御する。
【００４５】
また、制御手段９は、上下風向調整手段７の上下方向への動作と側方壁８の上下方向への動作、すなわち、第１の回動手段１４、第２の回動手段２１、第３の回動手段２６の回動をそれぞれ独立に制御する。
【００４６】
ここで、上下風向調整手段７の上下方向への移動に対して、側方壁８が上下方向に追従する状態を追従状態と定義する。また、上下風向調整手段７の上下方向への移動対して、側方壁８が閉状態を維持する状態を非追従状態と定義する。
【００４７】
追従状態においては、制御手段９は、第１の角度と第２の角度が等しくなるように制御する。また、第１の角度と第３の角度が等しくなるように制御する。これによって側方壁８を追従状態とすることができる。
【００４８】
他方、非追従状態においては、制御手段９は、第１の角度を変更した場合であっても第２の角度をゼロとし、すなわち側方壁８を構成する第２の風向板１７及び第３の風向板２２を本体ケース１内に収納状態とする。
【００４９】
この制御により側方壁８は、上下風向調整手段７の上下方向への移動に対して、側方壁８が上下方向に追従する状態である追従状態と、追従しない状態である非追従状態とをとる事ができる。追従状態と非追従状態は、左右それぞれ独立して制御することが可能である。
【００５０】
このような構成によれば、低域空間に沈降しやすい花粉やハウスダストなどの粒子径の大きい粉塵を捕集する場合において、側方壁８を追従状態とすることで、側方方向への風量を抑制し、前方方向への風量を増加させることができる。このため、風量を増加させることなく遠くの空間まで気流を届かせることができ、粒子径の大きな粉塵に対する捕集効果を高めたものである。つまり、花粉除去モードなどの所定の動作モード実行時に、追従状態とする運用が可能である。
【００５１】
また、花粉除去モードなどの特殊な環境下における動作モードではない動作モードの実行時には、非追従状態とする。つまり所定の動作モード実行時では無い場合には、広範囲に浮遊する粒子をひき寄せる動作モードで運転することができる。つまり、追従、非追従の選択を自在にすることができるので、ユーザーが風量増加無しに、設置環境や動作状況に応じて、効果的な気流を選択することができる。
【００５２】
また、上下風向調整手段７に対して第１の側方風向調整手段１５または第２の側方風向調整手段１６のうち一方のみを追随状態とする構成としてもよい。
【００５３】
このような構成によれば、追随状態としている側は側方への風の流出はないが、追随状態としていない側は側方へ風が流出する。例えば空気清浄装置の側面を壁に近接させて設置する場合に、壁面側の側面を追随状態とすることで、壁面に向かう風を抑えて前方方向のより遠くの空間まで気流を届かせることができる。一方、壁面とは反対側の側方方向については広範囲の領域に気流を届かせることができるようになるため、空気清浄装置の設置環境に応じて効果的な気流を選択することができる。
【００５４】
また、制御手段９は、所定の動作モード実行時に、環境情報取得手段２７の情報に基づき、第１の側方風向調整手段１５及び第２の側方風向調整手段１６を上下風向調整手段７の上方への移動に追従させるか、追随させないかを自動的に選択する構成としてもよい。
【００５５】
このような構成によれば、ユーザーの操作無しで設置環境や動作状況に応じて、最も効果的な動作状態を選択することができる。
【００５６】
（実施の形態２）
本実施の形態では、側方壁８と連動して吸気口２の動作を連動させる例について述べる。なお、本実施の形態においては、図２及び図５を参照して説明する。なお図５は、フロントパネルの外観斜視図である。
【００５７】
フロントパネル２８は着脱可能に本体ケース１の前面に設けられており、取り付け状態では吸気口２を上方吸気口２９と左右二つの側方吸気口３０と下方吸気口３１とに分割するように設ける点は実施の形態１で述べたとおりである。
【００５８】
フロントパネル２８は、上端を保持する上方アームと、上方アームを前後方向に摺動させることにより上方吸気口２９の開口面積を可変する上方駆動部３２と、フロントパネル２８の下端を保持する下方アームと、下方アームを前後方向に摺動させることにより下方吸気口３１の開口面積を可変する下方駆動部３３とを備える。
【００５９】
また、制御手段９は、上方駆動部３２と下方駆動部３３をそれぞれ独立に制御することができる。つまり制御手段９は、各駆動部を独立して制御することにより、上方吸気口２９を開状態とし、下方吸気口３１を閉状態とすることで上方吸気口２９からの吸気を増大させることが可能である。他方、制御手段９は、上方吸気口２９を閉状態とし、下方吸気口３１を開状態とすることで下方吸気口３１からの吸気を増大させることも可能である。
【００６０】
このような構成によれば、上方吸気口２９を閉状態とし下方吸気口３１を開状態とすることで、床上での下方吸気口３１へ流れ込む吸い込み気流の風速をさらに増加させることとなるので、粒子径の大きい粉塵を捕集する効果をさらに高めることができる。
【００６１】
また、フロントパネル２８は、図５に示す抑制板３４を備えてもよい。
【００６２】
抑制板３４は、フロントパネル２８の背面側、つまり吸気口２側の面における両側部に上方から下方にかけて設けられている。抑制板３４は、背面から吸気口２側に張り出すように設けられ、その高さはフロントパネル２８に接続される上方アームと下方アームを最大限に伸長させ、つまりフロントパネル２８が本体ケース１からもっとも離した状態において、側面視で側方吸気口３０を塞ぐ高さである。
【００６３】
このような構成によれば、側方吸気口３０からの吸気がさえぎられるため、相対的に下方吸気口３１からの吸気風量が増加する。これにより、床上での下方吸気口３１へ流れ込む吸い込み気流の風速をさらに増加させることとなるので、粒子径の大きい粉塵を捕集する効果をさらに高めることができる。
【００６４】
また、抑制板３４は、上方アームと下方アームを最大限に伸長させた状態において、側面視で側方吸気口３０の下部は塞がれ、上部は塞がれない高さとしてもよい。つまり、抑制板３４の高さは、上方が下方より低く、上方から下方に向けて徐々に高く構成している。抑制版３４の高さは、フロントパネル２８を本体ケース１からもっとも離した状態において、上方が側面視で側方吸気口の上方を開状態とし、下方が側面視で側方吸気口の下方を塞ぐ高さとする。なお、フロントパネル２８を本体ケース１からもっとも離した状態とは、物理的にもっとも離した状態とする意ではなく、運転状態におけるフロントパネル２８の制御上でもっとも離した状態を指す。つまり、設計上の遊びや取り外しのための距離は考慮しない。
【００６５】
このような構成によれば、例えば花粉除去モードなどの所定の動作モード実行時には上方アームは閉状態とし下方アームは最大限に伸長させることで、相対的に下方吸気口３１からの吸気風量が増加するため、粒子径の大きい粉塵を捕集する効果を高めることができる。
【００６６】
他方で、花粉除去モード以外の所定の動作モード実行時には、上方アームと下方アームを最大限に伸長させることで、上方吸気口２９及び側方吸気口３０の上部が開状態となる（塞がれない）ため、床上ではなく高い位置に浮遊する粒子径の小さい粉塵の捕集にも集塵効果を奏することができる。
【産業上の利用可能性】
【００６７】
本発明に係る空気清浄装置は、低域空間に沈降しやすい花粉やハウスダストなどの粒子径の大きい粉塵に対する捕集効果を高めることができるため、家庭用や事務用などの、空気清浄装置等としての活用が期待されるものである。
【符号の説明】
【００６８】
１    本体ケース
２    吸気口
３    排気口
４    送風路
５    フィルター
６    送風部
７    上下風向調整手段
８    側方壁
９    制御手段
１０    第１の風向板
１１    第１の軸支部
１２    第１の軸部
１３    第１の軸受部
１４    第１の回動手段
１５    第１の側方風向調整手段
１６    第２の側方風向調整手段
１７    第２の風向板
１８    第２の軸支部
１９    第２の軸部
２０    第２の軸受部
２１    第２の回動手段
２２    第３の風向板
２３    第３の軸支部
２４    第３の軸部
２５    第３の軸受部
２６    第３の回動手段
２７    環境情報取得手段
２８    フロントパネル
２９    上方吸気口
３０    側方吸気口
３１    下方吸気口
３２    上方駆動部
３３    下方駆動部
３４    抑制板
【図１】
2017083109.tif 000003
【図２】
2017083109.tif 000004
【図３】
2017083109.tif 000005
【図４】
2017083109.tif 000006
【図５】
2017083109.tif 000007